(57)【要約】      （修正有）【課題】チタンの硬質性金属材料からなる指輪において、この指輪の表面に紫外線硬化樹脂や多層塗り漆からなる装飾素材を付着させ、指輪のジュエリーとしての高質・異質感を醸し出した装飾指輪を提供する。【解決手段】チタンＣやステンレスＷなどの硬質性金属材料がリング状に形成され外周断面を平坦面１１又は凹状面１２とした輪体１００，２００と、輪体の外周断面の平坦面又は凹状面に充填固化させた装飾材５０，６０，７０，８０とからなる装飾指輪１０，２０，３０，４０である。【選択図】図１
0003210198.tif 000002
【実用新案登録請求の範囲】
【請求項１】
チタンやステンレスなどの硬質性金属材料がリング状に形成され外周断面を平坦面又は凹状面とした輪体と、上記輪体の外周断面の平坦面又は凹状面に充填固化させた装飾材と、からなることを特徴とする装飾指輪。
【請求項２】
上記装飾材は、紫外線硬化樹脂又は自然硬化樹脂であることを特徴とする請求項１記載の装飾指輪。
【請求項３】
上記装飾材は、上記輪体の外周断面の平坦面又は凹状面に巻付けたテープ又は短片のホログラムが付着され、上記ホログラムの上面に透明な紫外線硬化樹脂又は自然硬化樹脂を単層又は多層に充填されたことを特徴とする請求項２記載の装飾指輪。
【請求項４】
上記装飾材は、上記輪体の外周断面の平坦面又は凹状面に塗布された基礎漆の上面に吸湿性の有る糸が疎らに巻かれており、上記基礎漆とこの上面に巻かれた糸の上面に対して漆材を薄層に塗布と乾燥を繰返し形成した多層漆の最外周表面が磨かれた構成であることを特徴とする請求項１記載の装飾指輪。
【請求項５】
上記多層漆塗りした積層漆の最外周表面又はこの内部に、色彩の異なる漆材を連続又は不連続の模様状に塗布固着されていることを特徴とする請求項４記載の装飾指輪。
【請求項６】
上記多層漆塗りした積層漆の最外周表面又は内部に、パール粉、金及び金粉、白金、ダイヤ粉等の装飾片が任意な模様状に埋設された構成であることを特徴とする請求項４記載の装飾指輪。
【請求項７】
請求項１から請求項６に記載のいずれか１項記載の装飾指輪において、同一又は異なる装飾材からなる装飾指輪は、少なくとも一対又はこれ以上にコンビネーション連結された構成を特徴とする装飾指輪。
【考案の詳細な説明】
【技術分野】
【０００１】  本考案は、チタンやステンレス、特にチタンの硬質性金属材料からなる指輪において、この指輪の表面に紫外線硬化樹脂又は自然硬化樹脂や多層塗り漆からなる装飾素材を付着させ、指輪ジュエリーとしての新しい感覚の高質・異質感・審美感を醸し出すことを可能とした新技術に基づき開発した装飾指輪を提供するものである。
【背景技術】
【０００２】  従来、指輪の素材として、ステンレス、白金、金、プラチナ等の貴金属を使用し、これらの外周面を研磨して光沢を出して高価なジュエリー商品としている。また、この外周面の一か所に高価なダイヤモンドを付着し、外周面にダイヤモンドを並べたエタニティ指輪とし、更に、外周面を多角型の多面体にカットして高価なジュエリーと成し、指輪の経済的価値を高める事に終始していた。これらの指輪は、装飾的な美的価値よりは、その金属自体やダイヤモンド他の経済的取引価格が高価か低価かが、指輪の価値判断になっていた。即ち、高価な指輪を指に嵌める事が心理的満足感・心理的優越感・高い美的感覚だとの思い込み（装着者の人柄を最大限に醸し出し演出する知的効果、洋服との審美的な感覚は、軽視されがち）となっていた。【０００３】  上記公知の指輪は愛用者にとって、審美感を忘れ、経済的に高価だから美的であるとの思い込みの単調さに飽きている賢者も増えている。即ち、単純な金属色や単純なデザインに飽き、高い審美感を求める愛用者達は、日本の伝統的で各種色彩（渋さ、深み）が審美感を放っている１つの素材となる漆が持つ（わび・さび他）を指輪に適用すれば、ジュエリーとしての指輪の新たな美的世界が到来する可能性を期待していた。また、本願出願人も、上記美的世界の現実に挑戦すべく、漆材料を主体として光硬化樹脂他も指輪に適用可能とする装飾指輪の新技術の開発を続けて来た。【０００４】  然し乍ら、上記漆材は、指輪のような金属素材との接合性が弱く、軽い衝撃でも漆が金属表面から剥離すると言う問題があり、実用化が困難視されている。それにも関わらず、一部製造業者は、漆は、指輪のような金属素材との接合性が弱くて軽い衝撃で漆が金属表面から剥離すると言う問題を抱えながらも、商品化を急いでいる様相である。【０００５】  上記漆材は、古くから日本の伝統的技法として、お椀、お箸、受け皿、櫛、お盆、ブローチ等の比較的平面の多い部材の平面部に、多層塗りして漆独特の審美感を醸し出している商品がある。この商品の一部を特許文献から紹介すれは、蒔絵における立体的な装飾文様の表現を低廉かつ良好に実現することを可能とするものがある。その構成は、被加飾材１３の表面に対し、漆や接着剤等の中間接着層２を介して硬質性金属材料からなる金属粒子１７を装飾文様１８として形成するように接合して、胴ずり工程においてコンパウンドや磨き粉等を用いて研ぎ作業を施したときにおける装飾文様１８の摩耗をなくし、例えば比較的簡易な平蒔絵の工程を行った場合であっても高蒔絵に相当する立体的な表現を容易に可能としたものである（例えば、特許文献１参照。）。【０００６】  更に、アクリル樹脂基板の多重層素材の製造を容易かつ効率的に行うことを可能とする。その構成は、アクリル樹脂基板１，２に漆材を塗布して漆層３，４を形成する工程と、前記漆層３，４の硬化が始まった時点で当該漆層３，４の上に他のアクリル樹脂基板７，８を配置して貼着する工程とを備えたことにより、アクリル樹脂基板１，２同士の間に漆層３，４を挟み込んだ際に、アクリル樹脂が重合反応するときのモノマーから排出される酸素と水分を漆層３，４の重合反応に寄与させて漆層３，４の乾燥が早期に行われ、��つ漆の塗膜が良好な美観状態に維持される構成としたものである（例えば、特許文献２参照。）。
【先行技術文献】
【特許文献】
【０００７】
【特許文献１】特開２００７−２３０２３１号公報
【特許文献２】特開２０１４−４６６７０号公報
【考案の概要】
【考案が解決しようとする課題】
【０００８】  上記特開２００７−２３０２３１号公報は、被加飾材１３の表面に対し、漆や接着剤等の中間接着層２を介して硬質性金属材料からなる金属粒子１７を装飾文様１８として形成するものであるから、チタンやステンレス等の硬質性金属材料からなる円弧状に湾曲する指輪の外周面に、漆材を塗布して漆層を形成する技術ではないから、この技術を指輪に活用でないと言う問題がある。【０００９】  また、上記特開２０１４−４６６７０号公報は、アクリル樹脂基板１，２に漆材を塗布して漆層３，４を形成する技術であるから、チタンやステンレス等の硬質性金属材料からなる円弧状に湾曲する指輪の外周面に、漆材を塗布して漆層を形成する技術ではなく、この技術を指輪に活用でないと言う問題がある。【００１０】  本考案は、上記各公知例における技術とは全く異なり、チタンやステンレス等、特にチタンの硬質性金属材料からなる指輪の外周面に、漆材を剥がれ難く塗布して形成する漆層の新技術を提供する。更に、漆材と同じく深みの有る幻想的なパステルカラーを放つ、ホログラムと紫外線硬化樹脂からなる素材を、チタンの指輪に装飾する渋みと幻想的な色彩を放つ装飾指輪を開発した。
【課題を解決するための手段】
【００１１】  上記目的を達成するべく本考案の請求項１による指輪は、チタンやステンレスなどの硬質性金属材料がリング状に形成され外周断面を平坦面又は凹状面とした輪体と、上記輪体の外周断面の平坦面又は凹状面に充填固化させた装飾材と、からなることを特徴とする。【００１２】  また、本考案の請求項２の装飾指輪は、請求項１記載の装飾指輪において、上記装飾材は、紫外線硬化樹脂又は自然硬化樹脂であることを特徴とする。【００１３】  また、本考案の請求項３の装飾指輪は、請求項２記載の装飾指輪において、上記装飾材は、上記輪体の外周断面の平坦面又は凹状面に巻付けたテープ又は短片のホログラムが付着され、上記ホログラムの上面に透明な紫外線硬化樹脂又は自然硬化樹脂を単層又は多層に充填されたことを特徴とする。【００１４】  また、本考案の請求項４の装飾指輪は、請求項１記載の装飾指輪において、上記装飾材は、上記輪体の外周断面の平坦面又は凹状面に塗布された基礎漆の上面に吸湿性の有る糸が疎らに巻かれており、上記基礎漆とこの上面に巻かれた糸の上面に対して漆材を薄層に塗布と乾燥を繰返し形成した多層漆の最外周表面が磨かれた構成であることを特徴とする。【００１５】  また、本考案の請求項５の装飾指輪は、請求項４記載の装飾指輪において、上記多層漆塗りした積層漆の最外周表面又はこの内部に、色彩の異なる漆材を連続又は不連続の模様状に塗布固着されていることを特徴とする。【００１６】  また、本考案の請求項６の装飾指輪は、請求項４記載の装飾指輪において、上記多層漆塗りした積層漆の最外周表面又は内部に、パール粉、金及び金粉、白金、ダイヤ粉等の装飾片が任意な模様状に埋設された構成であることを特徴とする。【００１７】  また、本考案の請求項７の装飾指輪は、請求項１から請求項６に記載のいずれか１項記載の装飾指輪において、同一又は異なる装飾材からなる装飾指輪は、少なくとも一対又はこれ以上にコンビネーション連結された構成を特徴とする。
【考案の効果】
【００１８】  本考案の請求項１の装飾指輪によると、チタンやステンレスなどの硬質性金属材料がリング状に形成され外周断面を平坦面又は凹状面とした輪体と、上記輪体の外周断面の平坦面又は凹状面に充填固化させた装飾材とで構成したから、チタンやステンレスなどの硬質性金属材の表面を磨いただけの金属材の単純な冷たい感覚とは異なり、装飾材により多彩な色彩や配色の色取りが可能となる。
これにより、単純な色彩の従来の指輪とは異なり、服装や年齢・男女別、年齢別等の様々な、シーンや雰囲気、目的に応じたデザインや色彩が無限に選択でき、従来の指輪では得られない特別な効果が得られる。また、外周断面を平坦面又は凹状面とした輪体であるから、平坦面又は凹状面に装填される装飾材は、凸状にも平面状にも立体的に造形できる。更に、硬質性金属材にチタンを使用すると、チタンが持つ、血流促進効果が得られるから、例えば、右指に嵌めると右肩の肩凝りをほぐす効果も得られる。勿論、左指に嵌めれば左肩の肩凝りをほぐす効果も得られる。【００１９】  また、請求項２の装飾指輪によると、請求項１記載の装飾指輪において、上記装飾材は、紫外線硬化樹脂又はその他の自然硬化樹脂とした。特に、紫外線硬化樹脂は硬化する前の造形作業が容易であり、任意の形状を呈する装飾材の製作作業と、光を照射することで直ちに硬化するから、その製造・作業効率が良い。また、自然硬化樹脂の場合も同様である。【００２０】  また、請求項３の装飾指輪によると、上記装飾材は、上記輪体の外周断面の平坦面又は凹状面に巻付けたテープ又は短片のホログラムを付着させ、上記ホログラムの上面に透明な紫外線硬化樹脂又は自然硬化樹脂を単層又は多層に充填させた。これにより、指輪の輪体の平坦面又は凹状面にテープ又は短片のホログラムに照射光が煌びやかで幻想的な反射光となって透明な紫外線硬化樹脂を介して外部に放射され、幻想的な雰囲気の世界を指輪から得られる。この反射光は、ホログラムをＵＶ樹脂又は自然硬化樹脂でコーティング（保護）したから、これを透過して得られる。【００２１】  また、請求項４の装飾指輪によると、上記装飾材は、上記装飾材は、上記輪体の外周断面の平坦面又は凹状面に塗布された基礎漆の上面に吸湿性の有る糸が疎らに巻かれており、上記基礎漆とこの上面に巻かれた糸の上面に対して漆材を薄層に塗布と乾燥を繰返し形成した多層漆の最外周表面が磨かれた構成とした。これで、金属表面との強固な接合・固着、即ち耐久性に優れた装飾指輪が得られる。しかして、上記漆の表面外周は次の漆を塗布と乾燥を繰り返えした多層漆塗りが可能となる。即ち、指輪の外周面を漆で装飾するという新規で多様性の有る美的感覚に溢れた指輪が提供できる。更に、硬質性金属材にチタンを使用すると、チタンが持つ、血流促進効果が得られるから、例えば、右指に嵌めると右肩の肩凝りをほぐす効果も得られる。勿論、左指に嵌めれば左肩の肩凝りをほぐす効果も得られる。【００２２】  また、請求項５の装飾指輪によると、上記多層漆塗りした積層漆の最外周表面又はこの内部に、色彩の異なる漆材を連続又は不連続の模様状に塗布固着されたから、単色の漆だけの装飾材に限定された指輪にとどまらず、多様なデザイン性と多様な審美感を放ち、真に奥深い漆材の特質を発揮した全く審美感に溢れた装飾指輪が提供できる。即ち、洋服や和服を問わず、各種衣類や他の装飾品とのバランスを考慮したあらゆるデザイン、色彩に合致（マッチング）させられる装飾指輪が提供できる。更に、硬質性金属材にチタンを使用すると、チタンが持つ、血流促進効果が得られるから、例えば、右指に嵌めると右肩の肩凝りをほぐす効果も得られる。勿���、左指に嵌めれば左肩の肩凝りをほぐす効果も得られる。【００２３】  また、請求項６の装飾指輪によると、上記多層漆塗りした積層漆の最外周表面又は内部に、パール粉、金及び金粉、白金、ダイヤ粉等の装飾片が任意な模様状に埋設された構成であるから、請求項５の装飾指輪の効果にとどまらず、多層漆塗りの内部から表面にパール粉、金及び金粉、白金、ダイヤ粉等の装飾片が異質の光沢を放ち、真に奥深い漆材と装飾片との異質感が神秘的雰囲気を醸し出す効果が得られる。勿論、硬質性金属材にチタンを使用すると、チタンが持つ、血流促進効果が得られるから、例えば、右指に嵌めると右肩の肩凝りをほぐす効果も得られる。勿論、左指に嵌めれば左肩の肩凝りをほぐす効果も得られる。【００２４】  また、請求項７の装飾指輪によると、請求項１から請求項６に記載のいずれか１項記載の装飾指輪において、同一又は異なる装飾材からなる装飾指輪を、少なくとも一対又はこれ以上にコンビネーション連結させた構成としたから、各々の装飾指輪が持つ個性的な漆塗りの色彩や図柄は、隣接し合う装飾指輪との連係感や分別感が醸し出される効果が得られる。即ち、異なる一対以上の装飾指輪を１つの指に嵌めることでコンビネーション連結された各装飾指輪間が作り出す幻想的な図柄は、従来のステンレス、白金、金、プラチナ等からなる単純色では、到底得られない新規な審美的な効果である。勿論、硬質性金属材にチタンを使用すると、チタンが持つ、血流促進効果が得られる。
【図面の簡単な説明】
【００２５】
【図１】  本考案の各実施態様を示し、各装飾指輪の断面図と斜視図と拡大断面図である。
【図２】  本考案の第３及び第４実施態様を示し、要部の拡大図と工程断面図である。
【図３】  本考案の第１及び第２実施態様を示し、要部の拡大図と工程断面図である。
【図４】  本考案の第５実施の形態を示し、複数個の指輪を指に嵌めた使用例の斜視図及び部分図である。
【図５】  各実施態様による実際の装飾指輪の写真を示す。
【考案を実施するための形態】
【００２６】  以下、図１乃至図５を参照して本考案の装飾指輪について、各実施の形態を順次に説明する。
【実施例】
【００２７】  本考案の第１〜第５実施の形態となる各装飾指輪１０，２０，３０，４０は、図１に全体構成を示す。上記各指輪は、チタンＣ又はステンレスＷなどの硬質性金属材料がリング状に形成され外周断面を平坦面１１又は凹状面１２とした輪体１００，２００と、上記輪体の外周断面の平坦面１１又は凹状面１２に充填固化させた装飾材５０又は６０と、７０又は８０からなる。上記各装飾指輪１０，２０，３０，４０の構成について説明する。
先ず、第１実施態様の装飾指輪１０は、輪体１００において平坦面１１の外周面にホログラム（テープ又は短片）Ｈを貼付け、この上面に紫外線硬化樹脂（ＵＶ樹脂）Ｓ又は自然硬化樹脂Ｓ１を被覆させた装飾材５０からなる。また、第２実施態様の装飾指輪２０は、輪体２００において凹状面１２の外周面にホログラム（テープ又は短片）Ｈを貼付け、この上面に紫外線硬化樹脂（ＵＶ樹脂）Ｓ又は自然硬化樹脂Ｓ１を被覆させた装飾材５０からなる。【００２８】  また、第３実施態様の装飾指輪３０は、輪体１００において平坦面１１の外周面に漆Ｕ１を接着させ、この上に糸Ｙを荒く巻付けて漆Ｕ１と接着させる。更に、この上面に漆Ｕ２，Ｕ３・・・を繰返し多層重ねに塗り、表面の漆を磨いた装飾材７０からなる。また、第４実施態様の装飾指輪４０は、輪体２００において凹状面１２の外周面に漆Ｕ１を接着させ、この上に糸Ｙを荒く巻付けて漆Ｕ１と接着させる。更に、この上面に漆Ｕ２，Ｕ３・・・を繰返し多層重ねに塗り、表面の漆Ｕｘを磨いた装飾材８０からなる。【００２９】  続いて、上記第１及び第２実施態様の装飾材５０，６０を使用した装飾指輪１０，２０の詳細構成を説明する。図３（ａ）（ｂ）において、装飾指輪１０，２０は、輪体１００や２００の平坦面１１や凹状面１２の外周面に、各種色彩を放つ各種ホログラムＨ（一色又は多色に配列される）を小片ｈとして貼付けられている。この上面を樹脂で透明に被覆（コーティング）すべく、透明度の有る紫外線硬化樹脂（ＵＶ樹脂）Ｓを単層又は多層に充填させる。この手順は、紫外線硬化樹脂（ＵＶ樹脂）Ｓを単層盛りの場合は、厚く単層盛り後に紫外線を照射することで固化して被覆される。また、紫外線硬化樹脂（ＵＶ樹脂）Ｓを多層に充填するには、（ＵＶ樹脂）Ｓを薄く単層盛りと紫外線照射による固化とを、繰り返して所定の厚さまで、紫外線硬化樹脂（ＵＶ樹脂）Ｓを盛り上げる。最後に、図３（ｃ）に示すように、その（ＵＶ樹脂）Ｓの表面を適宜な公知磨き手段で磨き上げられる。また、他の実施例として、ホログラムＨは図３（ｂ）に示すように、テープＨ０（ｈ０）として巻き付け、更に、自然硬化樹脂Ｓ１を使用しても良い。
これで、内部の各種ホログラムＨ，Ｈ０が透明（樹脂色に染められた透明色）に光を透過させて七色に可視され、ジュエリーとしての価値を発揮する。更に、上記各指輪１００，２００を、チタンＣで構成すれば、チタンが持つ、血流促進効果が得られる。例えば、右指に嵌めると右肩の肩凝りをほぐす効果も得られる。勿論、左指に嵌めれば左肩の肩凝りをほぐす効果が得られる。【００３０】  上記各種ホログラムＨ，Ｈ０としては、公知な部材として、パターンホログラム、オリジナルホログラム、ポジションホログラム、ＰＲＳ（浮彫）他のものが適宜使用される。また、紫外線硬化樹脂（ＵＶ樹脂）Ｓや自然硬化樹脂Ｓ１は、市販されている各種製品が使用可能である。また、硬化用の紫外線光源機器も適宜市販製品が使用可能である。【００３１】  しかして、上記第１及び第２実施態様の装飾指輪１０，２０によれば、チタンやステンレスなどの硬質性金属材料がリング状に形成され外周断面を平坦面１１又は凹状面１２とした輪体１００，２００と、上記輪体の外周断面の平坦面又は凹状面に充填固化させた装飾材５０，６０とで構成したから、チタンＣやステンレスＷなどの硬質性金属材の表面を磨いただけの金属材の単純な冷たい感覚からなる指輪とは異なり、多彩な色彩による配色の色取りが可能となる。これにより、単純な色彩の従来の指輪から、服装や年齢・男女別、年齢別等の様々な、シーンや雰囲気、目的に応じたデザインや色彩が無限に選択できるから、従来の指輪では得られない特別な効果が得られる。また、外周断面を平坦面１１又は凹状面１２の輪体であるから、平坦面又は凹状面に装填される装飾材５０，６０は、凸状にも平面状にも立体的に造形できる。更に、硬質性金属材にチタンを使用すると、チタンが持つ、血流促進効果が得られる。【００３２】  更に、上記装飾材は、紫外線硬化樹脂のＵＶ樹脂とすれば、硬化する前の造形作業が容易であり、任意の形状を呈する装飾材の製作作業と、光を照射することで直ちに硬化するから、その製造・作業効率が良い。また装飾指輪１０，２０によると、上記装飾材５０，６０は、上記輪体の外周断面の平坦面又は凹状面にテープ状ｈ０又は短片ｈのホログラムＨ，Ｈ０を付着させ、上記ホログラムの上面に透明な紫外線硬化樹脂Ｓや自然硬化樹脂Ｓ１を単層又は多層に充填させたから、指輪の輪体の平坦面又は凹状面にテープ状又は短片のホログラムＨ，Ｈ０により、照射光が煌びやかで幻想的な反射光となって透明な紫外線硬化樹脂Ｓや自然硬化樹脂Ｓ１を介して外部に放射され、幻想的な雰囲気の世界を指輪から得られる。この反射光は、シート状短片のホログラムをＵＶ樹脂Ｓや自然硬化樹脂Ｓ１でコーティング（保護）したから、長期間に渡り透過が得られる。【００３３】  続いて、本考案の本命である第３実施態様の装飾指輪３０は、図２（ａ）に示すように、輪体１００において平坦面１１の外周面には、漆Ｕ１を接着させ、この上に例えば、吸湿性の良い麻製の糸Ｙを荒く巻付け、漆Ｕ１と接着させる。更に、この上面に漆Ｕ２，Ｕ３・・・を繰返し多層重ねに塗り、表面の漆Ｕｘを磨いた装飾材７０からなる。また、第４実施態様の装飾指輪４０は、図２（ｂ）に示すように、輪体２００において凹状面１２の外周面に���、漆Ｕ１を接着させ、この上に例えば、吸湿性の良い麻製の糸Ｙを荒く巻付け、漆Ｕ１と接着させる。更に、この上面に漆Ｕ２，Ｕ３・・・を繰返し塗り付けと乾燥を繰返して多層重ねに塗り、表面の漆Ｕｘを磨いた装飾材８０からなる。勿論、装飾材７０と装飾材８０とは、同一構成体である。両者の相違点は、輪体１００において平坦面１１の外周面に装着するか、輪体２００において凹状面１２の外周面に装着したかである。これにより、輪体１００においては、装飾材７０が全面漆仕上げとなり、角を硬いものに触れて、強くぶつけると欠け易い。輪体２００においては、凹状面１２の外周面に装着されているから、突出した両外周部（イ）（ロ）が装飾材８０の欠けを保護するとともに、中心部の装飾材８０と両縁の両外周部（イ）（ロ）とが、特徴的なコントラストを醸し出すから、優れた審美眼的効果が得られる。【００３４】  以下、図２（ｃ）〜（ｆ）により、再度、輪体２００の凹状面（外周面）１２に漆Ｕ１，Ｕ２，Ｕ３・・・の装飾材８０を装着する製造工程を詳細に説明する。先ず、輪体２００において、図２（ｃ）に見るよう凹状面１２の外周面に漆Ｕ１を接着させ、この上に例えば、吸湿性の良い麻製の糸Ｙを荒く巻付け、漆Ｕ１と接着させる。更に、この上面に漆Ｕ２，Ｕ３・・・を繰返し多層重ねに塗り、外周表面の漆Ｕｘを磨いて装飾材８０となる。即ち、図２（ｄ）に見るよう、糸Ｙの上面に、１層目の漆Ｕ１，２層目のＵ２，３層目のＵ３・・・と、漆の塗布と乾燥とを繰返し、図２（ｅ）（ｇ）に示すように外周表面の漆Ｕｘまで、多層重ね塗りする。最後に、図２（ｆ）に示すように、多層重ね塗りした表面Ｕｘを磨いて光沢感に溢れた装飾材８０を得る。尚、上記輪体１００の平坦面１１に漆Ｕ１，糸Ｙ、  Ｕ２，Ｕ３・・・の装飾材７０を装着する製造工程も同様である。【００３５】  上記漆Ｕ１，Ｕ２，Ｕ３・・Ｕｘの乾燥方法は、基本的に公知の漆と、この乾燥方法が適用される。具体的には、精製透漆には、透素黒目、木地呂、赤地呂、油なし朱合他。精製黒漆には、黒素黒目、黒呂色、油なし花塗、黒艶消、黒箔下他、人工漆例えば、カシューの合成樹脂塗料（合成漆）も適用される。
尚、漆が乾燥する原理は、漆液中のラッカーゼ酵素が空気中の水分から酸素を取り込み、ウルシオールを酸化重合させて硬化することが知られている。従って、適当な湿度と、酸化重合するための温度が必要。漆が硬化するには、温度が２４℃〜２８℃で、湿度が７０％〜８５％時が適している。この条件から外れた環境では、乾き難く、塗り肌が悪くなる等の支障が出る。漆乾燥は自然な化学反応であるから、硬化する指触乾燥までに数時間〜１０時間を要する。本考案の指輪３０，４０は、漆が少量のため、上記時間よりも大幅に短縮された新規な技法により乾燥させている。【００３６】  尚、多彩な色彩・美的感覚を醸し出すために、図２（ｇ）に示すように、第４実施態様の装飾材７０，８０は、上記多層漆塗り表面（濃紺、黒色他）Ｕｘに、色彩の異なる漆（朱色他）Ｕｚを表面Ｕｘと同時又は後から連続又は不連続に塗布させ、図２（ｈ）に示すように、乾燥固化後に、磨いて仕上げられる。勿論、上記色彩の異なる漆Ｕｚは、漆の他、パール粉、金及び金粉、白金、ダイヤ粉等の装飾片Ｓ０とし、この装飾片Ｓ０（Ｊ）の一つ乃至複数個を多層漆塗りの内部に埋設させることが可能である。しかして、上記漆表面Ｕｘに装飾片Ｓ０（Ｊ）を露出又は埋没させた構成とすることも自由に施せる。【００３７】  上記多層漆塗りの表面内に、パール粉、金及び金粉、白金、ダイヤ粉等の装飾片Ｓ０（Ｊ）を任意な模様状に埋設させ、上記漆を磨いて表面に装飾片を露出させれば、多層漆塗りの内部から表面に異なる漆色及び模様や、パール粉、金及び金粉、白金、ダイヤ粉等の装飾片Ｓ０（Ｊ）が異質の光沢を放ち、真に奥深い漆材Ｕｘ，Ｕｚと装飾片Ｓ０（Ｊ）との異質感が神秘的雰囲気を醸し出す効果が得られる。勿論、硬質性金属材にチタンＣを使用すると、チタンが持つ、血流促進効果が得られる。【００３８】  本考案の第５実施の形態を図４に示す。複数個の指輪を指に嵌めた使用例である。即ち、装飾指輪において、同一又は異なる装飾材５０，６０，７０，８０からなる装飾指輪１０，２０，３０，４０を、少なくとも一対１０，２０又はこれ以上２０，３０，４０にコンビネーション連結させた図柄構成としたものである。
図４（ａ）は、同一又は異なる装飾材５０，６０，７０，８０からなる装飾指輪１０，２０，３０，４０を２連嵌めした状態。図４（ｂ）は３連２０，３０，４０で、色彩の異なる漆（朱色他）Ｕｚを表面Ｕｘに図柄を関連させて梅他の枝模様としたもの。図４（ｃ）は、２連嵌めで、色彩の異なる漆（朱色他）Ｕｚを表面Ｕｘに斜線として塗り、右上がりの斜線模様や、一方の指輪を逆に嵌めてハの字模様とする。更に、２連嵌めにおいて、両方の装飾指輪３０，４０に半分のハート模様を漆（朱色他）Ｕｚの表面Ｕｘに塗り、両漆（朱色他）Ｕｚを合わせてハートが造形される。この他、色々な模様が造形できる。更には、各装飾指輪１０，２０，３０，４０の幅も、広・狭の変化を持たせ、広・狭の組み合わせによる造形も、装着者（使用者）の意のままに変更した創作が可能である。更に、漆材Ｕと装飾片Ｓ０（Ｊ）との組み合わせによるコンビネーション連結も自由にできる。
図５の写真は、装飾材６０，８０からなる装飾指輪２０，４０の個々及び組み合わせを示す。具体的には、図５（ａ）は、装飾指輪２０，４０を示す。また、図５（ｂ）は、装飾指輪２０，２０を示す。Ｈはホログラム、Ｓは（ＵＶ樹脂）、Ｓ１は自然硬化樹脂である。【００３９】  上記各々の装飾指輪１０，２，３０，４０が持つ個性的な色彩や図柄は、隣接し合う装飾指輪との連係感や分別感、立体感が醸し出される効果が得られる。即ち、異なる一対以上の装飾指輪を１本の指や隣り合う指に複数嵌めることでコンビネーション連結された各装飾指輪間が作り出す審美的・流麗・幻想的な図柄が得られる。即ち、従来のチタン、ステンレス、白金、金、プラチナ等だけからなる指輪の単純色では、到底得られない新規な審美的・流麗・幻想的な効果が発揮される。勿論、硬質性金属材にチタンを使用すると、チタンが持つ、血流促進効果が得られる【００４０】  本考案は、上記各実施態様に限定されない。即ち、吸湿性の良い麻製の糸Ｙに替えて任意の糸も適用される他、個々の装飾指輪１０，２，３０，４０において細部における設計変更、図柄変更、コンビネーション変更が自由に行えること勿論である。
【符号の説明】
【００４１】  １１                    平坦面
１２                    凹状面
１０，２，３０，４０    装飾指輪
５０，６０，７０，８０  装飾材
１００                  輪体
２００                  輪体
Ｕ，Ｕ１，Ｕ２，Ｕ３・・漆
Ｕｚ                    漆（朱色他）
Ｕｘ                    表面の漆
Ｃ                      チタン
Ｗ                      ステンレス
Ｈ                      ホログラム
Ｈ０                    テープ状のホログラム
Ｊ                      埋込装飾片
Ｓ                      紫外線硬化樹脂（ＵＶ樹脂）
Ｓ１                    自然硬化樹脂
Ｓ０（Ｊ）              装飾片
Ｙ                      糸
【図１】
0003210198.tif 000003
【図２】
0003210198.tif 000004
【図３】
0003210198.tif 000005
【図４】
0003210198.tif 000006
【図５】
0003210198.tif 000007